(57)【要約】  本発明の異種物質受容装置は、容器の内容物が排出される方向に結合または組み立てて、受容装置の本体の内部に別の内容物の貯蔵空間である受容部を形成し、受容装置を圧力気体が入れた容器に結合した後、異種物質受容装置を開放すると、 受容部内に貯蔵された内容物が受容装置が開放されると同時に容器内部に落下混合されるように構成される。
2010534594.tif 000002
【特許請求の範囲】
【請求項１】
容器の内容物の排出方向に適用される異種の物質を受容するための装置であって、
内部に貯蔵空間が設けられた受容部を有する本体を備えと、
前記本体の内部貯蔵空間にはエキスまたはパウダーを含む内容物が収容され、
当該装置が、圧縮された気体が収容された容器の口部に結合されると、当該容器の内部の圧縮された気体が貯蔵空間に移動し、
前記圧縮された気体が貯蔵空間に移動した状態で、当該装置を開放すると、前記容容器内部の加圧が瞬間的に除去されると同時に前記貯蔵空間の圧縮された気体が作動部を開放しながら貯蔵空間の内容物が容器内の内容物に落下し混合されるように構成されてなる
ことを特徴とする異種の物質を受容するための装置。
【請求項２】
前記貯蔵空間への圧縮された気体の移動が、作動部または受容部のいずれかの部位に設けられたチェックバルブバルブによってなされることを特徴とする、請求項１記載の装置。
【請求項３】
容器の内容物の排出方向に適用される異種の物質を受容するための装置であって、
内部に貯蔵空間が設けられた受容部を有する本体を備え、
前記本体の内部貯蔵空間にはエキスまたはパウダーを含む内容物が収容され、
当該装置が、圧縮された気体が入った容器の口部に結合されると、当該容器の内部の圧縮された気体が当該装置の第２の貯蔵空間に移動し、
前記圧縮された気体が当該第２の貯蔵空間に移動した状態で、当該装置を開放すると前記容器内部の加圧が瞬間的に除去される同時に前記貯蔵空間の圧縮された気体が作動部を開放しながら貯蔵空間の内容物が容器内の内容物に落下し混合されるように構成されてまることを特徴とする異種の物質を受容するための装置。
【請求項４】
前記第２貯蔵空間への圧縮された気体の移動が、作動部または受容部のいずれかの部位に設けられたチェックバルブバルブまたは孔穴によってなされることを特徴とする請求項１記載の異種の物質を受容するための装置。
【請求項５】
容器の内容物の排出方向に適用される異種の物質を受容するための装置であって、
内部に貯蔵空間が設けられた受容部を有する本体を備え、
前記本体の内部の貯蔵空間にはエキスまたはパウダーを含む内容物が収容され、
当該装置の貯蔵空間には圧縮された気体が収容されており、
当該装置を圧縮された気体が収容された容器に結合した後、前記貯蔵空間に圧縮された気体が収容された状態で、当該装置を開放すると容器内部の加圧が瞬間的に除去される同時に前記貯蔵空間の圧縮された気体が作動部を開放しながら貯蔵空間の内容物が容器内の内容物に落下し混合されるように構成することを特徴とする異種物質受容装置。
【発明の詳細な説明】
【技術分野】
【０００１】
本発明は異種の物質を受容するための装置に関するもので、より詳しくは濃縮液と水、また濃縮液と一般の飲み物、また顆粒と水、また粉末と水などを効果的に混合するために受容するための装置の構造に関する。そして、異種の物資を混合することで、容器内の内容物が炭酸または空気などにより容器内部に加圧状態が形成されることにより有用に用いられる。
【背景技術】
【０００２】
一般に飲み物容器などの内部に貯蔵された液体飲み物に粉末とか濃縮液を混合させるためには容器の内部に別途の空間が必要である。
【０００３】
従来、このような容器の内で他の物質を混合するための構造は、米国特許第６，９６２，２５４号明細書、米国特許第６，２３０，８８４号明細書、米国特許第６，８５４，５９５号明細書などに開示がある。
【０００４】
しかしながら、機能的な構造、混合の効率性、貯蔵空間のバリヤー性、生産ラインの対応性、使用の便利性などを効果的に克服することが容易でないので今日まで一部を除いては一般化されることができていないのが実情である。
【０００５】
そして、最近、米国の企業と、ドイツおよびオーストリアの技術協力によるもの（ＰＣＴ／ＥＰ２００２／００４５２３：２００２年０１月１７日）や、日本の技術が国際社会で注目を浴びているが、実用化の観点からは日本の技術が一般化され始めている。
【０００６】
しかしながら、日本の技術（ＪＰ−Ｐ−２００１−００１８５４２８：２００１年０６月１９日）も開放部を形成する部位が容器内部に落下するという欠点があり、この開放部を形成する部位を子供たちが飲み下す虞れがあり、最近は排出装置を分離できないようにする新しい形態の容器の首が開発されている。しかし、これも既存の容器には適用できないという欠点などの問題があり解消すべき課題が内在している。
【０００７】
また、本発明と直接的な関連があるものとして、米国特許第６，６２０，４４４号明細書があげられるが、これは容器内部にあるが蓋を開放すると、内部の圧力によって異種の物質が混合されるもので、前記異種の物質を受容する装置が容器の外に出ることを防止するためには別途の防止装置が必要であり、技術的には缶容器に当てはまる欠点があった。
【０００８】
そして、米国特許第６，６２０，４４４号明細書は圧力に反応する受容装置を容器に入れて制御することが困難であり、場合によっては受容装置を容器の底部に固定する技術を用いることもある。
【発明の概要】
【発明が解決しようとする課題】
【０００９】
本発明は詳述した従来技術の問題点を解決するためのものであって、本発明の目的は容器の内部に形成された内容物に異種の物質を効果的に混合させることにある。
【００１０】
本発明の他の目的は異種の物質を受容するための装置の開放と同時に異種の物質が容器の内部で混合され、同時に異種の物質を受容する装置は容器から分離されて消費者が異種の物質を受容する装置を飲み下す虞があるという問題点を解消することである。
【課題を解決するための手段】
【００１１】
前記目的を実現するために、本発明の異種の物質を受容するための装置は、容器の内容物が排出される方向に結合また組み立てられ、前記受容するための装置の本体の内部に別途の内容物の貯蔵空間となる受容部を形成し、この受容部内に貯蔵された内容物が、当該異種の物質を受容するための装置が開放されると同時に容器内部に落下して混合される。
【００１２】
本発明の異種の物質を混合するための構造は、容器の内容物が排出される方向に結合、付着、接着などがなされて、前記異種の物質を受容するための装置は、貯蔵空間が設けられた受容部または受容部を有する本体を備えており、前記受容部の底部には貯蔵空間の内容物を落下し混合させる作動部が形成されている。
【００１３】
そして、前記作動部は、異種の物質を受容するための装置内で分離されたり、または一定に離隔されて異種の物質を混合するのであるが、作動部にチェックバルブを形成したり、また受容部の一部にチェックバルブを形成する技術によって行うこともできる。
【００１４】
また、前記受容装置が、加圧状態が形成された容器に結合されると、容器内部の圧力を受けた物質が早速受容部の貯蔵空間に移動して容器内部と貯蔵空間の圧力が一定になる一方向また両方向のチェックバルブを形成することが良い。
【発明の効果】
【００１５】
本発明は容器内に貯蔵された主内容物と分離されるように別途の貯蔵空間を形成して、粉末または顆粒もしくは濃縮液などを別途の受容装置に貯蔵した後、受容装置を開放する簡単な操作で、圧力によって異種の物質を受容する装置内の加圧状態が解消される過程で、作動部が開放されながら異種の物質が混合されるので、異種の物質を混合する操作が容易であり、かつ便利である。
【００１６】
そして、受容部が本体に一体されるので作動部とか本体などの異種物質受容装置を子供が飲み下すことを防止する特徴もある。
【図面の簡単な説明】
【００１７】
【図１】本発明の第１実施を示す図である。
【図２】本発明の第１実施を示す図である。
【図３】本発明の他の実施を示す図である。
【図４】本発明の他の実施を示す図である。
【図５】本発明の他の実施を示す図である。
【図６】本発明の他の実施を示す図である。
【図７】本発明の他の実施を示す図である。
【図８】本発明の他の実施を示す図である。
【図９】本発明の他の実施を示す図である。
【図１０】本発明の他の実施を示す図である。
【図１１】本発明のさらに他の実施を示す図である。
【図１２】本発明のさらに他の実施を示す図である。
【図１３】本発明のさらに他の実施を示す図である。
【図１４】本発明のさらに他の実施を示す図である。
【図１５】本発明のさらに他の実施を示す図である。
【図１６】本発明のさらに他の実施を示す図である。
【図１７】本発明のさらに他の実施を示す図である。
【図１８】本発明のさらに他の実施を示す図である。
【図１９】本発明のさらに他の実施を示す図である。
【図２０】本発明のさらに他の実施を示す図である。
【図２１】本発明のさらに他の実施を示す図である。
【図２２】本発明のさらに他の実施を示す図である。
【図２３】本発明のさらに他の実施を示す図である。
【図２４】本発明のさらに他の実施を示す図である。
【図２５】本発明のさらに他の実施を示す図である。
【図２６】本発明のさらに他の実施を示す図である。
【図２７】本発明のさらに他の実施を示す図である。
【発明を実施するための形態】
【００１８】
以下、本発明の好ましい実施例を添付した図面を参照して次の通り説明する。
【００１９】
図１は本発明の望ましい一つの実施例を示す図面として、本発明の受容装置１は飲み物の容器などに、スクリュー方式またはワンタッチ方式などの方法で結合できるが、安全をためにはスクリュー方式で結合されるのが良い。
【００２０】
そして、前記異種の物質を受容する装置１は、容器１００の首に組み付けられるもので、容器１００の内部には炭酸ガスまたはとか圧縮空気などで容器１００の内部に膨張圧力が発生するものであれば良い。
【００２１】
前記容器１００に異種の物質を受容する装置１が結合されると、容器１００内部の加圧物質（望ましくは圧縮された気体）が、異種の物質を受容する装置１の受容部３の貯蔵空間４に移動し、同時に容器１００内部の圧力と貯蔵空間４の圧力が均衡すると圧縮された気体の移動が止まる。
【００２２】
また、前記異種の物質を受容する装置１は、貯蔵空間４に加圧物質を移動するための手段を用いるために、チェックバルブ６を形成する。前記チェックバルブ６は、貯蔵空間４を塞いでいる作動部５に形成されているが、受容部３の任意の部位に形成することもできる。
【００２３】
前述の内容を図１を参照して説明すると、本体２の内部に貯蔵空間４を有する受容部３を形成し、当該貯蔵空間４には異種の物質を収容して前記受容部３の底部を、密閉栓として機能する作動部５を組み付ける。
【００２４】
また、前記作動部５は、衝撃（圧力など）を加えることによって受容部３から離間させるか、分離されて貯蔵空間４の内容物を容器１００の内部に落下させるように構成される。
【００２５】
そして、前記貯蔵空間４に気体の移動ができるチェックバルブ６を作動部５また受容部３の任意の一部に形成し、かつ前記作動部５が分離されて容器１００の内部に落下するのを防止するために、異種の物質を落下させるための空間８がある保護被覆部７を形成する。
【００２６】
このような本発明の受容装置１は図１の通り、容器１００の内部と貯蔵空間４に圧力気体が入れられた状態で、前記状態で異種物質受容装置１を開放すると容器１００内部の圧力（圧力気体）が瞬間的に除去され、この時は貯蔵空間４にあった圧力気体は瞬間的にそれに対応する圧力が除去されるので、作動部５が貯蔵空間４の圧力に耐えることができないので開放する。
【００２７】
前記過程で貯蔵空間４にあった異種物質が容器１００内部に落下混合されるものであるが、作動部５はその下方の保護被覆部７によって本体２と共に設けられる。
【００２８】
そして、異種の物質を受容する装置１が開放する過程で容器１００内部の加圧状態が瞬間的に除去されるので、貯蔵空間４に存在する圧縮された圧力気体はチェックバルブ６の作動とは関係なく作動部５を分離させる。
【００２９】
従って、チェックバルブ６を通じて貯蔵空間４に圧縮された気体が徐々に移動するように移動量が設計されるものが良く、望ましくは作動部５とチェックバルブ６が一体にしたものが良い。
【００３０】
また、前記作動部５はシリコン素材である場合、チェックバルブ６は適当な部分を切断することによるか、針状の尖った金属により孔をあけ、当該その部分を加圧して切断面または孔を瞬間的に拡張させることによって気体が移動できるようにするのが良い。
【００３１】
他の実施例（図２ないし図３）は、受容部３および作動部５の形態の変形例であるが、発明の本質は同一である。その特徴は受容部３の外部に保護被覆部７を受けとめる構成が異なったものと、チェックバルブ６の位置が種々の多様に設計変更が可能であることを例示した。
【００３２】
そして、受容部３と本体２とは、射出成型により一体的に形成することができる。図２は保護被覆部７の種々のアセンブリを例示したものである。
【００３３】
また、他の実施例（図４ないし図６）は、受容部３が本体２の底部に形成された軟質のパッキング１０の底部に形成されたものである。また貯蔵空間４を塞いでいる作動部５は、圧力によって後方を押圧して異種の物質を落下させるように構成している。
【００３４】
このように本発明の使用時に、異種の物質を受容する装置１を開放すると容器１００内部の加圧状態が除去されると同時に貯蔵空間４の内圧が作動部５を押圧して、貯蔵空間４の内容物が容器１００内の内容物と混合するようにしたものである。
【００３５】
そして、図５は、受容部３を本体２の底部に組立式に結合するものを示しており、図６は、軟質のパッキング１０を受容部３に接着したものを示している。
【００３６】
また、他の実施例（図７ないし図８）は、受容部３の底部に形成された作動部５が固定部１２によって受容部３に固定されるように設計したもので、使用時には容器１００内の加圧状態が除去されると貯蔵空間４の内圧が作動部５を押しながら異種物質が容器１００の内に落下されるものであるが、この時、作動部５が連結部１３によって固定部１２に折り入って付いているようになり、図７は容器１００の口部の上端に密閉される密閉部１１が容器１００に組み立てられる前の状態を現す。
【００３７】
また、他の実施として（図９ないし図１０）、作動部５の作動を異にしたもので、望ましくは図１０の通り、作動部５が下方に一定に移動しながら貯蔵空間４が開くようにするものを現し、図１０は図８のより具体的な例示を現す。
【００３８】
また、他の実施として（図１１）、受容部３が多様に設計変更ができるのを例示している。
【００３９】
また、他の実施として（図１２）、受容部３の設計変更および作動部５の多様な変化を例示したもので、作動部５が下方に一定に移動した後、受容部３にぶら下げられているように設計したもので、一部を拡大したものはチェックバルブ６を現したもので、前述したように受容部３の任意の一側に別途敷設することができるのを現す。
【００４０】
また、他の実施として（図１３）、本発明の事象を有する異種物質受容装置１は本体２の上方に形成された別途の排出手段を通じて混合された内容物を排出させることがきるのを現す。
【００４１】
また、他の実施として（図１４）、以上のような異種物質受容装置１にチェックバルブ６を形成することが多様であるのを例示している。
【００４２】
また、他の実施として（図１５）、本発明は作動部５がシーソー方式に開くように構成したものを現す。
【００４３】
また、他の実施として（図１６ないし図１７）、図１６は図４で言及したものの具体的な表現であって、図１７は圧力気体が別途の第２貯蔵空間１５にあった後に作動部５を開放するように構成されることができるし、以上の事象は図１７の以前に言及された作動部５および受容部３の技術的事象に基づいたもので、特異な点は貯蔵空間４の内容物が外部に露出されない長所がある。
【００４４】
また、他の実施例（図１８）は、図１７の変形例で、異種の物質を受容する装置１を容器１００の口部に結合すると圧縮された気体が穴状のチェックバルブ６を通じて移動し、異種の物質を受容する装置１が開放する過程で、作動部５が下降しながら貯蔵空間４の内容物が落下空間１６を経由して落下し混合される。
【００４５】
また、他の実施例（図１９）は、図１８の変形例で、異種の物質を受容する装置１を開放すると作動部５が下降しながら貯蔵空間４が開放し、貯蔵空間４の内容物が、作動部５の側方に形成された多数の孔を通じて落下する。
【００４６】
また、他の実施例（図２０）は、以下のとおり（図２０、図２２ないし図２７）に基づいた異種の物質を受容する装置１は始めから貯蔵空間４に圧縮された気体が収容されている技術で、一例として、圧縮された気体は固体になっているが、温度が常温に変化しながら気体になり、その過程で、貯蔵空間４に圧力が発生しても容器１００の内部の圧力が維持されるので、異種の物質を受容する装置１の貯蔵空間４が開放しないようになっていて、異種の物質を受容する装置１を開放すると各作動部５が開放するが、図２０を参照すると、作動部５が下方に傾斜しながら貯蔵空間４の内容物が落下するように設計されている。
【００４７】
また、他の実施例（図２１）は、図４の内容を設計変更したもので、異種の物質を受容する装置１を開放すると、作動部５が後方に傾斜しながら貯蔵空間４が開放するように構成され、別途の排出手段を本体２の上部に敷設した点に特徴がある。
【００４８】
また、他の実施例（図２２）、図２の設計変更に関し、作動部５が連結部１３によって固着されるように構成される。
【００４９】
また、他の実施例（図２３）、図２０の設計変更に関し、作動部５が下方に下がると、もうそれ以上は下がらないように構成されている。
【００５０】
また、他の実施例（図２４）は、図２０の設計変更に関し、作動部５が開放した後、本体２の上端で分離されないように構成されている。
【００５１】
また、他の実施例（図２５）は、図２０の変形例であり、受容部３の貯蔵空間４、１５が複数に構成されたものである。
【００５２】
また、他の実施例（図２６）は、図２０の変形例であり、圧縮された気体が薄板１７を押圧すると、その薄板１７が下方の尖った作動部５によって破壊されて、貯蔵空間４の内容物が落下されるように構成されている。
【００５３】
また、他の実施例（図２７）は、図２０の設計変更に関し、作動部５がシーソー式に開放するように構成されている。
【産業上の利用可能性】
【００５４】
本発明は濃縮液と水、濃縮液と一般飲料、顆粒と水、または粉末と水などを効果的に混合するための受容装置に関するもので、異種の物質の混合能力を向上させた、炭酸飲料、高濃縮酸素飲料等の圧縮された気体が収容された飲料用に使用できる。
【図１】
2010534594.tif 000003
【図２】
2010534594.tif 000004
【図３】
2010534594.tif 000005
【図４】
2010534594.tif 000006
【図５】
2010534594.tif 000007
【図６】
2010534594.tif 000008
【図７】
2010534594.tif 000009
【図８】
2010534594.tif 000010
【図９】
2010534594.tif 000011
【図１０】
2010534594.tif 000012
【図１１】
2010534594.tif 000013
【図１２】
2010534594.tif 000014
【図１３】
2010534594.tif 000015
【図１４】
2010534594.tif 000016
【図１５】
2010534594.tif 000017
【図１６】
2010534594.tif 000018
【図１７】
2010534594.tif 000019
【図１８】
2010534594.tif 000020
【図１９】
2010534594.tif 000021
【図２０】
2010534594.tif 000022
【図２１】
2010534594.tif 000023
【図２２】
2010534594.tif 000024
【図２３】
2010534594.tif 000025
【図２４】
2010534594.tif 000026
【図２５】
2010534594.tif 000027
【図２６】
2010534594.tif 000028
【図２７】
2010534594.tif 000029
【国際調査報告】
2010534594.tif 000030
2010534594.tif 000031
2010534594.tif 000032
2010534594.tif 000033